(57)【要約】【課題】複数系統のビデオ信号を入力する入力手段と、入力手段に入力した２系統以上のビデオ信号に対して処理を施すことによってビデオ信号を生成する処理手段とを有する映像処理装置において、外部からタイムコードを入力することなく、各入力ビデオ信号と生成したビデオ信号とに互いに同期したタイムコードを付加する。【解決手段】タイムコードを発生するタイムコード発生手段２３と、処理手段２１が生成したビデオ信号には、タイムコード発生手段２３が発生するタイムコードを付加し、入力手段１への入力ビデオ信号には、タイムコード発生手段２３が発生するタイムコードの値に処理手段２１における処理遅延時間分の値を加算したタイムコードを付加するタイムコード付加手段１９とを備え、このタイムコードを付加されたビデオ信号を出力及び／または記録媒体に記録する。【選択図】図２
2007221247.tif 000002
【特許請求の範囲】
【請求項１】
複数系統のビデオ信号を入力する入力手段と、
前記入力手段に入力した２系統以上のビデオ信号に対して処理を施すことによってビデオ信号を生成する処理手段と、
タイムコードを発生するタイムコード発生手段と、
前記処理手段が生成したビデオ信号には、前記タイムコード発生手段が発生するタイムコードを付加し、前記入力手段への入力ビデオ信号には、前記タイムコード発生手段が発生するタイムコードの値に前記処理手段における処理遅延時間分の値を加算したタイムコードを付加するタイムコード付加手段と
を備え、
前記タイムコード付加手段によってタイムコードを付加されたビデオ信号が出力及び／または記録媒体に記録されるようにしたことを特徴とする映像処理装置。
【請求項２】
請求項１に記載の映像処理装置において、
前記入力手段への入力ビデオ信号を、装置内部の基準同期信号に同期させる同期制御手段
をさらに備え、
前記タイムコード付加手段は、前記基準同期信号とは非同期の入力ビデオ信号については、前記タイムコード発生手段が発生するタイムコードの値に前記処理手段における処理遅延時間分の値を加算した値を初期値として、該入力ビデオ信号の１フレーム毎に該初期値を歩進するタイムコードを生成して、該タイムコードを付加する
ことを特徴とする映像処理装置。
【請求項３】
請求項１に記載の映像処理装置において、
前記タイムコード発生手段は、所定のフォーマットのビデオ信号に対応した規格のタイムコードを発生し、
前記タイムコード付加手段は、前記入力手段への入力ビデオ信号のフォーマットが前記所定のフォーマットと相違する場合、前記タイムコード発生手段が発生するタイムコードの値を、該入力ビデオ信号のフォーマットに対応した規格のタイムコードの値に変換し、該変換したタイムコードの値に前記処理手段における処理遅延時間分の値を加算した値を初期値として、該入力ビデオ信号の１フレーム毎に該初期値を歩進するタイムコードを生成して、該タイムコードを付加する
ことを特徴とする映像処理装置。
【請求項４】
請求項１に記載の映像処理装置において、
前記処理手段は、２系統のビデオ信号に対して切り換え処理を施したビデオ信号を生成し、
前記処理手段における切り換えを指示するための操作手段と、
前記タイムコード発生手段が発生するタイムコードを時間情報として用いて、前記操作手段の操作内容を示す情報であるスイッチングリストを作成するスイッチングリスト作成手段と
をさらに備えたことを特徴とする映像処理装置。
【請求項５】
請求項４に記載の映像処理装置において、
前記タイムコード発生手段が発生するタイムコードの値に、前記操作手段で操作を行ってから前記処理手段が切り換え処理を開始するまでの所要時間分の値を加算するタイムコード補正手段
をさらに備え、
前記スイッチングリスト作成手段は、前記タイムコード補正手段によって補正されたタイムコードを時間情報として用いる
ことを特徴とする映像処理装置。
【請求項６】
複数系統のビデオ信号を入力する入力手段と、
前記入力手段に入力した２系統以上のビデオ信号に対して処理を施すことによってビデオ信号を生成する処理手段と
を有する映像処理装置におけるビデオ信号へのタイムコードの付加方法において、
前記映像処理装置内に設けたタイムコード発生手段でタイムコードを発生する第１のステップと、
前記処理手段が生成したビデオ信号には、前記第１のステップで発生したタイムコードを付加し、前記入力手段への入力ビデオ信号には、前記第１のステップで発生したタイムコードの値に前記処理手段における処理遅延時間分の値を加算したタイムコードを付加する第２のステップと、
前記第２のステップでタイムコードを付加したビデオ信号を出力及び／または記録媒体に記録させる第３のステップと
を有することを特徴とするタイムコードの付加方法。
【発明の詳細な説明】
【技術分野】
【０００１】
本発明は、複数系統のビデオ信号を入力し、入力した２系統以上のビデオ信号に対して処理を施すことによってビデオ信号を生成する装置に関し、特に、外部からタイムコードを入力することなく、各入力ビデオ信号及び生成したビデオ信号に、互いに同期したタイムコードを付加するようにしたものに関する。
【背景技術】
【０００２】
ビデオ信号を編集して映像コンテンツを作成する際には、通常、複数系統のビデオ信号（ビデオカメラやＶＴＲ等からのビデオ信号）を編集機に入力し、その編集機で、各入力ビデオ信号のイン点やアウト点をタイムコードに基づいて指定するという作業が行われる。したがって、それらの複数系統の入力ビデオ信号には、互いに同期したタイムコードが付加されていることが必要になる。
【０００３】
従来、このように複数系統の入力ビデオ信号に互いに同期したタイムコードを付加するためには、次の（１）〜（３）のいずれかの方法が採用されていた。
【０００４】
（１）各ビデオカメラ等を外部ＴＣ（タイムコード）モードに設定して、１台のタイムコードジェネレータから出力したタイムコードをそれらのビデオカメラやＶＴＲ等に分配し、それらのビデオカメラやＶＴＲ等からこの共通のタイムコードを出力させる。
【０００５】
（２）各ビデオカメラ等を外部ＴＣモードに設定して、１台のタイムコードジェネレータから出力したタイムコードをそれらのビデオカメラ等に分配した後、それらのビデオカメラ等を内部モードに切替えてフリーランさせ、それらのビデオカメラ等からそれぞれタイムコードを出力させる。
【０００６】
（３）各ビデオカメラ等を内部モードに設定し、１台のリモートコントローラでそれらのビデオカメラ等のタイムコード値をプリセット（またはリセット）して、それらのビデオカメラ等からそれぞれタイムコードを出力させる。
【０００７】
また従来、カメラ一体型ＶＴＲにおけるタイムコードの生成に関する技術としては、例えば、複数台のカメラ一体型ＶＴＲカメラが、それぞれ対応するカメラコントロールユニットより伝送されるタイムコードに同期したタイムコードを生成して映像信号と共に記録したり、映像信号と共に記録するタイムコードをそれぞれ対応するカメラコントロールユニットに伝送するという技術も提案されていた（特許文献１）。
【０００８】
【特許文献１】特開平０９−１８６９５９号公報（段落番号００２９〜３２、図１）
【発明の開示】
【発明が解決しようとする課題】
【０００９】
ところが、上記（１）〜（３）の方法や、上記特許文献１に記載の技術は、タイムコードを出力する機能を有するビデオカメラ等を使用することを前提とするものである。例えばテレビジョン放送局では、こうした機能を有するプロフェッショナル用のビデオカメラ等を使用しているので、上記（１）〜（３）の方法によって複数系統の入力ビデオ信号に互いに同期したタイムコードを付加して、それらのビデオ信号を編集することが可能である。
【００１０】
しかし、ビデオ信号を編集する作業は、放送分野以外の分野でも行われることが少なくない。例えば、企業や団体が、自ら開催するイベントや会議・セミナー等の様子を複数台のビデオカメラで撮影し、後でそのビデオ信号を編集して、イベントや会議・セミナー等の概要を紹介する映像コンテンツを作成する、といったような場合がそれに該当する。
【００１１】
そして、企業や団体がこうしたイベント等の様子を撮影する場合には、プロフェッショナル用のビデオカメラではなく、タイムコード出力機能を有しない一般消費者向けのビデオカメラが使用されることが多い。そうした場合には、上記（１）〜（３）の方法を採用することはできない。
【００１２】
また、こうしたイベント等の概要を紹介する映像コンテンツを作成する方法としては、イベント等の会場で、各ビデオカメラからのビデオ信号（素材）をビデオスイッチャーに入力して、ディゾルブやワイプ等のエフェクト処理を施したビデオ信号（ＰＧＭ信号：プログラム信号と呼ばれている）を生成しておき、編集時には、素材をゼロから編集する代わりに、このＰＧＭ信号における切り換えタイミングを微調整することなどによって編集を行うという方法も考えられる。
【００１３】
しかし、この方法で効率的に編集を行うためには、ビデオスイッチャーへの各入力ビデオ信号に互いに同期したタイムコードを付加するだけでなく、ＰＧＭ信号にも各入力ビデオ信号と互いに同期したタイムコードを付加できるようにすることが望まれる。従来、ビデオスイッチャーに外部からタイムコードを入力することなく、ビデオスイッチャーへの各入力ビデオ信号とビデオスイッチャーで生成したＰＧＭ信号とに互いに同期したタイムコードを付加する技術は存在していなかった。
【００１４】
本発明は、上述のビデオスイッチャーのような、複数系統のビデオ信号を入力し、入力した２系統以上のビデオ信号に対して処理を施すことによってビデオ信号を生成する映像処理装置において、外部からタイムコードを入力することなく、各入力ビデオ信号と生成したビデオ信号とに互いに同期したタイムコードを付加できるようにすることを課題とする。
【課題を解決するための手段】
【００１５】
この課題を解決するために、本発明に係る映像処理装置は、複数系統のビデオ信号を入力する入力手段と、この入力手段に入力した２系統以上のビデオ信号に対して処理を施すことによってビデオ信号を生成する処理手段と、タイムコードを発生するタイムコード発生手段と、この処理手段が生成したビデオ信号には、このタイムコード発生手段が発生するタイムコードを付加し、この入力手段への入力ビデオ信号には、このタイムコード発生手段が発生するタイムコードの値にこの処理手段における処理遅延時間分の値を加算したタイムコードを付加するタイムコード付加手段とを備え、このタイムコード付加手段によってタイムコードを付加されたビデオ信号が出力及び／または記録媒体に記録されるようにしたことを特徴とする。
【００１６】
また、本発明に係るタイムコードの付加方法は、複数系統のビデオ信号を入力する入力手段と、この入力手段に入力した２系統以上のビデオ信号に対して処理を施すことによってビデオ信号を生成する処理手段とを有する映像処理装置におけるビデオ信号へのタイムコードの付加方法において、この映像処理装置内に設けたタイムコード発生手段でタイムコードを発生する第１のステップと、この処理手段が生成したビデオ信号には、この第１のステップで発生したタイムコードを付加し、この入力手段への入力ビデオ信号には、この第１のステップで発生したタイムコードの値にこの処理手段における処理遅延時間分の値を加算したタイムコードを付加する第２のステップと、この第２のステップでタイムコードを付加したビデオ信号を出力及び／または記録媒体に記録させる第３のステップとを有することを特徴とすることを特徴とする。
【００１７】
本発明によれば、複数系統のビデオ信号を入力する入力手段と、入力手段に入力した２系統以上のビデオ信号に対して処理を施すことによってビデオ信号を生成する処理手段とを有する映像処理装置において、装置内に設けた単一のタイムコード発生手段でタイムコードが発生する。そして、処理手段が生成したビデオ信号には、このタイムコードが付加され、他方、入力手段に入力したビデオ信号には、このタイムコードに処理手段における処理遅延時間分の値を加算したタイムコードが付加される。そして、このようにしてタイムコードを付加されたビデオ信号が、映像処理装置から出力されたり記録媒体に記録される。
【００１８】
このように、映像処理装置内の単一のタイムコード発生手段で発生したタイムコードを、処理手段が生成したビデオ信号にはそのまま付加し、入力ビデオ信号には処理手段の処理遅延時間を考慮して付加することにより、この映像処理装置の外部からタイムコードを入力することなく、各入力ビデオ信号と生成したビデオ信号とに互いに同期したタイムコードを付加することができる。
【発明の効果】
【００１９】
本発明によれば、複数系統のビデオ信号を入力し、入力した２系統以上のビデオ信号に対して処理を施すことによってビデオ信号を生成する映像処理装置において、外部からタイムコードを入力することなく、各入力ビデオ信号と生成したビデオ信号とに互いに同期したタイムコードを付加することができるという効果が得られる。
【発明を実施するための最良の形態】
【００２０】
以下、本発明をビデオスイッチャーに適用した実施の形態について、図面を用いて具体的に説明する。
【００２１】
〔発明を適用したビデオスイッチャーの使用例〕
最初に、本発明を適用したビデオスイッチャーの使用例について、図１を用いて説明する。このビデオスイッチャー１００は、携帯型のコンピュータに似た形状及び大きさをしており、例えばイベントや会議・セミナー等の会場に持ち運んで使用する。
【００２２】
会場では、イベントや会議・セミナー等の様子を複数台のビデオカメラ（タイムコード出力機能を有しない一般消費者向けのビデオカメラ）１０１で撮影し、それらのビデオカメラ１０１からのゲンロックしていないビデオ信号（素材）をビデオスイッチャー１００に入力する。そして、ビデオスイッチャー１００を操作して、ディゾルブやワイプ等のエフェクト処理を施したビデオ信号（ＰＧＭ信号）を生成する。
【００２３】
ビデオスイッチャー１００で生成したＰＧＭ信号は、例えば会場内の大画面の画像表示装置（図示略）に表示させる。また、ビデオスイッチャー１００に入力した素材を、ビデオスイッチャー１００に接続したＨＤＤ（ハードディスクドライブ）１０２に記録する。
【００２４】
また、ビデオスイッチャー１００で、ＰＧＭ信号の生成時の切り換え操作内容を示す情報であるＥＤＬ（ＥＤＬについては後で詳述する）を生成する。そして、このＥＤＬを、ビデオスイッチャー１００に設けられているスロットに装着した小型メモリーカード等の記録デバイス１０３に記録する。
【００２５】
なお、ビデオスイッチャー１００はオーディオミキサーとしての機能も有しているが、オーディオ信号に対する処理は本発明とは直接関係しないので、説明を省略する。
【００２６】
後でノンリニア編集機１０４によってこのイベント等の概要を紹介する映像コンテンツを作成する際には、ＨＤＤ１０２に記録された素材を、記録デバイス１０３内のＥＤＬを利用して編集する。
【００２７】
〔発明を適用したビデオスイッチャーの構成〕
次の、このビデオスイッチャー１００の主要部の構成を、図２を用いて説明する。ビデオスイッチャー１００には、３系統の入力部１と、エフェクト部２と、パネル部３と、メインコントロール部４とが設けられている。図示は省略するが、これらの各部にはそれぞれＣＰＵが搭載されており、このＣＰＵ同士の間でコマンドが授受される。
【００２８】
各入力部１には、ビデオカメラやＶＴＲ等（図１ではビデオカメラ１０１）から２チャンネル分ずつビデオ信号を入力するためのビデオ入力端子（図示略）が設けられている。他方、タイムコードを入力するための端子は、ビデオスイッチャー１００には設けられていない。
【００２９】
入力部１には、各々のチャンネルに対応して、Ａ／Ｄ，Ｓ／Ｐ変換回路１１と、フレームシンクロナイザ１２と、画サイズ変換回路１３と、セレクタ１５と、ＤＶエンコーダ１６と、ＡＶＩファイル変換部１７と、ＴＣ（タイムコード）デマルチプレクサ１８と、ＴＣ付加部１９とが設けられている。このうちのＡＶＩファイル変換部１７及びＴＣ付加部１９は、ハードウェア回路ではなく入力部１内のＣＰＵのソフトウェア処理によって実現されるものであるが、図ではそれぞれ１つの処理ブロックとして描いている。
【００３０】
また、入力部１には、２チャンネルの入力ビデオ信号の中から、切り換え前の映像であるＰＧＭ入力（Foreground）や、切り換え後の映像であるＮＥＸＴ入力（Background）を選択するためのセレクタ１４が設けられている。
【００３１】
エフェクト部２には、エフェクト回路２１と、Ｄ／Ａ変換回路２２と、ＴＣ（タイムコード）ジェネレータ２３と、ＴＣマルチプレクサ２４とが設けられている。エフェクト回路２１は、供給されるＰＧＭ入力（切り換え前の映像）及びＮＥＸＴ入力（切り換え後の映像）に対して切り換え処理（単純な切り換えであるカットや、ディゾルブやワイプ等の映像効果を伴う切り換え）を施したビデオ信号（ＰＧＭ信号）を生成する回路である。エフェクト回路２１でのディレイ量（ＰＧＭ入力及びＮＥＸＴ入力が供給されてからＰＧＭ信号が出力されるまでの処理遅延時間）は、２フレームになっている。
【００３２】
パネル部３は、ユーザーが、ビデオスイッチャー１００を動作させる前提としての各種の設定や、ビデオスイッチャー１００を動作させるための各種の指示を行うための操作部である。
【００３３】
図３は、ビデオ信号の切り換えを指示するためにパネル部３に設けられているボタン及びレバーを示す図である。７個のボタン群５１は、図２の各入力部１の３×２チャンネル＝６系統の入力ビデオ信号（「１」〜「６」）と、ビデオスイッチャー１００の内部で生成される静止画データ（「ＩＮＴ」）との合計７系統の中から、前述のＰＧＭ入力（切り換え前の映像）を選択するためのＰＧＭ入力選択ボタンである。
【００３４】
７個のボタン群５２は、各入力部１の６系統の入力ビデオ信号（「１」〜「６」）と前述の静止画データ（「ＩＮＴ」）との合計７系統の中から、前述のＮＥＸＴ入力（切り換え後の映像）を選択するためのＮＥＸＴ入力選択ボタンである。
【００３５】
カットボタン５３は、カット切り換えを指示するためのボタンである。トランジションレバー５４は、ディゾルブやワイプ等の実行時に、画面上での現在の映像と次の映像との比率を手動で調節するためのレバーである。
【００３６】
ボタン５５は、外部のＨＤＤ（図１ではＨＤＤ１０２）への素材またはＰＧＭ信号の記録を指示するためのボタンである。また、このボタン５５は、記録開始の指示時には、ＰＧＭ入力選択ボタン５１やＮＥＸＴ入力選択ボタン５２やカットボタン５３やトランジションレバー５４の操作内容を示す情報であるスイッチングリスト（ＥＤＬとも呼ぶ）の作成の開始を指示するボタンとしても機能し、記録終了の指示時には、このＥＤＬの作成の終了を指示するボタンとしても機能する。
【００３７】
なお、図示は省略するが、パネル部３では、図３に示したボタン等での操作以外に、本発明に関連する操作として、次の（ａ）〜（ｃ）のような操作も行えるようになっている。
（ａ）図２のエフェクト部２内のＴＣジェネレータ２３で発生するタイムコードの初期値を設定する（現在の時刻に設定したり、任意の時刻に設定する）プリセット操作。
【００３８】
（ｂ）ＴＣジェネレータ２３で発生するタイムコードを、ＮＴＳＣフォーマットのビデオ信号に対応したタイムコードであるＳＭＰＴＥか、ＰＡＬフォーマットのビデオ信号に対応したタイムコードであるＥＢＵかのいずれかに設定するフォーマット設定操作。
【００３９】
（ｃ）ボタン５５の操作によって外部のＨＤＤに記録させるビデオ信号として、ＰＧＭ信号か、システムとは非同期の素材か、システムに同期した素材かのいずれか１つを選択する記録ビデオ信号選択操作。
【００４０】
パネル部３内のＣＰＵからは、パネル部３の操作内容を示すコマンドが、図２のメインコントロール部４内のＣＰＵに送られる。メインコントロール部４内のＣＰＵは、このパネル部３からのコマンドに基づき、各入力部１内のＣＰＵにセレクタ１４やセレクタ１５やＡＶＩファイル変換部１７を制御するコマンドを送ったり、エフェクト部２内のＣＰＵにエフェクト回路２１を制御するコマンドを送る。
【００４１】
また、メインコントロール部４内のＣＰＵは、本発明に関連する処理として、タイムコードのプリセット値をエフェクト部２内のＴＣジェネレータ２３に送ったり、ＴＣジェネレータ２３が発生するタイムコードを用いてスイッチングリスト（ＥＤＬ）を作成する処理を行う。図２では、これらの処理をＴＣ（タイムコード）プリセット部４１，ＴＣ補正部４２及びＥＤＬ生成部４３という処理ブロックとして描いている。
【００４２】
〔ビデオ信号に関する処理〕
次に、このビデオスイッチャー１００におけるビデオ信号に関する処理について説明する。入力部１への各チャンネルの入力ビデオ信号は、アナログ信号（コンポジット信号やＳビデオ）の場合にはＡ／Ｄ，Ｓ／Ｐ変換回路１１でデジタル変換され、シリアル伝送規格（ＳＤＩ：Serial Digital Interface等）のデジタル信号の場合にはＡ／Ｄ，Ｓ／Ｐ変換回路１１でパラレル変換される。そして、フレームシンクロナイザ１２によってビデオスイッチャー１００内の基準同期信号と同期（以下、システムと同期、と表現する）がとられた後、画サイズ変換回路１３によってビデオスイッチャー１００の統一画サイズである横１２８０×縦１０２４ピクセルに変換されて、セレクタ１４に送られる。
【００４３】
セレクタ１４では、パネル部３のＰＧＭ入力選択ボタン５１及びＮＥＸＴ入力選択ボタン５２（図３）の操作に従って選択動作が行われる。そして、これらのボタンによって選択されたＰＧＭ入力とＮＥＸＴ入力とが、エフェクト部２内のエフェクト回路２１に供給される。
【００４４】
エフェクト回路２１では、供給されたＰＧＭ入力及びＮＥＸＴ入力に対して、パネル部３のボタン５３やトランジションレバー５４（図２）の操作に従ってカット，ディゾルブ，ワイプ等の切り換え処理を施したＰＧＭ信号が生成される。エフェクト回路２１が生成したＰＧＭ信号は、Ｄ／Ａ変換回路２２でアナログ変換されて外部の画像表示装置等に出力されるとともに、各入力部１に戻される。
【００４５】
各入力部１では、エフェクト部２から戻されたＰＧＭ信号と、フレームシンクロナイザ１２の前段の素材（ゲンロックしていないので、システムとは非同期である）と、フレームシンクロナイザ１２の後段の素材（システムと同期している）とのうちのいずれかが、パネル部３の前述の記録ビデオ信号選択操作に従ってセレクタ１５で選択される。そして、セレクタ１５で選択されたビデオ信号が、ＤＶエンコーダ１６によってＤＶ（Digital Video）規格の圧縮ビデオ信号に変換された後、パネル部３のボタン５５（図３）での記録指示に基づき、図示しないオーディオ信号処理系からのオーディオ信号と一緒にＡＶＩファイル変換部１７でＡＶＩファイルに変換されて、外部のＨＤＤに記録される。
【００４６】
〔タイムコードに関する処理〕
次に、このビデオスイッチャー１００におけるタイムコードに関する処理について説明ずる。パネル部３で、前述のようなタイムコードの初期値を設定するプリセット操作が行われると、パネル部３内のＣＰＵから、その操作内容を示すコマンドがメインコントロール部４内のＣＰＵに送られる。
【００４７】
メインコントロール部４内のＴＣプリセット部４１からは、このコマンドに基づき、プリセット操作によって設定された初期値を示す信号がエフェクト部２内のＴＣジェネレータ２３に送られる。ＴＣジェネレータ２３は、この初期値を、ビデオスイッチャー１００内の基準同期信号によるフレーム周波数（以下、システムのフレーム周波数、と表現する）の１フレーム毎に歩数することによって、パネル部３の前述のフォーマット設定操作によって設定されたタイムコード（ＳＭＰＴＥまたはＥＢＵ）をフリーランモードで発生する。以下、このＴＣジェネレータ２３が発生するタイムコードを、システムＴＣと呼ぶ。
【００４８】
このシステムＴＣは、ＴＣマルチプレクサ２４により、エフェクト回路２１から各入力部１に戻されるＰＧＭ信号のブランキング期間（例えば４ライン目）に重畳される。
【００４９】
入力部１では、ＴＣデマルチプレクサ１８により、ＰＧＭ信号からこのシステムＴＣが抜き取られる。そして、ＴＣ付加部１９が、このシステムＴＣに基づいて図４〜図６のようなタイムコード処理を実行することにより、ＤＶエンコーダ１６によるＤＶ規格の圧縮ビデオ信号のサブコード領域にタイムコードを書き込む。
【００５０】
このうち、図４の処理は、入力部１内のセレクタ１５でＰＧＭ信号が選択された（パネル部３の記録ビデオ信号選択操作でＰＧＭ信号が選択された）場合の処理であり、システムのフレーム周波数の１フレーム毎に開始される。そして、ＴＣデマルチプレクサ１８によってＰＧＭ信号から抜き取られたシステムＴＣを読み取り（ステップＳ１）、そのシステムＴＣをそのままＤＶエンコーダ１６による圧縮ビデオ信号のサブコード領域に書き込んで（ステップＳ２）、処理を終了する。
【００５１】
図５の処理は、入力部１内のセレクタ１５でフレームシンクロナイザ１２の前段のシステムとは非同期の素材が選択された（パネル部３の記録ビデオ信号選択操作でシステムとは非同期の素材が選択された）場合の処理であり、入力ビデオ信号の１フレーム毎に開始される。そして、最初に、パネル部３で前述のプリセット操作が行われたか、あるいは入力部１にビデオ信号が入力がされていない状態からビデオ信号が入力されている状態に変化したか否かを判断する（ステップＳ１１）。
【００５２】
イエスであれば、ＴＣデマルチプレクサ１８によってＰＧＭ信号から抜き取られたシステムＴＣを読み取る（ステップＳ１２）。そして、入力部１への現在の入力ビデオ信号のフォーマット（ＮＴＳＣまたはＰＡＬ）が、システムＴＣ（パネル部３のフォーマット設定操作によって設定された、ＳＭＰＴＥまたはＥＢＵ）に対応したフォーマットと一致するか否かを判断する（ステップＳ１３）。
【００５３】
ノーであれば、ステップＳ１２で読み取ったシステムＴＣの値を、現在入力しているビデオ信号のフォーマットに対応したタイムコードの値に（ＳＭＰＴＥの値からＥＢＵの値に、またはＥＢＵの値からＳＭＰＴＥの値に）変換する（ステップＳ１４）。そしてステップＳ１５に進む。他方、ステップＳ１３でイエスであれば、そのままステップＳ１５に進む。
【００５４】
ステップＳ１５では、素材に付加するタイムコード（素材タイムコードと呼ぶことにする）をソフトウェア処理によって発生するために、システムＴＣの値（ステップＳ１４を経た場合には変換したシステムＴＣの値）に、エフェクト部２内のエフェクト回路２１でのディレイ分の値（前述のように２フレーム）を加算する。
【００５５】
続いて、この加算結果を素材タイムコードの初期値として設定して（ステップＳ１６）、その初期値をＤＶエンコーダ１６による圧縮ビデオ信号のサブコード領域に書き込んで（ステップＳ１７）、処理を終了する。
【００５６】
ステップＳ１１でノーであれば、直前のフレームについての処理のステップＳ１７で書き込んだ素材タイムコードの値に１フレームを加算する（ステップＳ１８）。そして、その加算後の値をＤＶエンコーダ１６による圧縮ビデオ信号のサブコード領域に書き込んで（ステップＳ１７）、処理を終了する。
【００５７】
図６の処理は、入力部１内のセレクタ１５でフレームシンクロナイザ１２の後段のシステムと同期した素材が選択された（パネル部３の記録ビデオ信号選択操作でシステムに同期した素材が選択された）場合の処理であり、システムのフレーム周波数の１フレーム毎に開始される。そして、最初に、入力部１への現在の入力ビデオ信号のフォーマット（ＮＴＳＣまたはＰＡＬ）が、システムＴＣ（ＳＭＰＴＥまたはＥＢＵ）に対応したフォーマットと一致するか否かを判断する（（ステップＳ２１）。
【００５８】
イエスであれば、ＴＣデマルチプレクサ１８によってＰＧＭ信号から抜き取られたシステムＴＣを読み取る（ステップＳ２２）。続いて、そのシステムＴＣの値に、エフェクト部２内のエフェクト回路２１でのディレイ分の値（２フレーム）を加算したものを、素材タイムコードの値として設定する（ステップＳ２３）。そして、その素材タイムコードの値をＤＶエンコーダ１６による圧縮ビデオ信号のサブコード領域に書き込んで（ステップＳ２４）、処理を終了する。
【００５９】
ステップＳ２１でノーであれば、パネル部３で前述のプリセット操作が行われたか、あるいは入力部１にビデオ信号が入力がされていない状態からビデオ信号が入力されている状態に変化したか否かを判断する（ステップＳ２５）。
【００６０】
イエスであれば、ＴＣデマルチプレクサ１８によってＰＧＭ信号から抜き取られたシステムＴＣを読み取る（ステップＳ２６）。そして、そのシステムＴＣの値を、現在入力しているビデオ信号のフォーマットに対応したタイムコードの値に（ＳＭＰＴＥの値からＥＢＵの値に、またはＥＢＵの値からＳＭＰＴＥの値に）変換する（ステップＳ２７）。
【００６１】
続いて、素材タイムコードをソフトウェア処理によって発生するために、ステップＳ２７で変換したシステムＴＣの値に、エフェクト部２内のエフェクト回路２１でのディレイ分の値（２フレーム）を加算する（ステップＳ２８）。
【００６２】
そして、この加算結果を素材タイムコードの初期値として設定し（ステップＳ２９）、その初期値をＤＶエンコーダ１６による圧縮ビデオ信号のサブコード領域に書き込んで（ステップＳ２４）、処理を終了する。
【００６３】
ステップＳ２５でノーであれば、直前のフレームについての処理のステップＳ２４で書き込んだ素材タイムコードの値に１フレームを加算する（ステップＳ３０）。そして、その加算後の値をＤＶエンコーダ１６による圧縮ビデオ信号のサブコード領域に書き込んで（ステップＳ２４）、処理を終了する。
【００６４】
この図４〜図６の処理により、ＰＧＭ信号，システムとは非同期の素材，システムと同期した素材のうちのいずれのビデオ信号を外部のＨＤＤにＡＶファイルとして記録する場合にも、そのビデオ信号にタイムコードが付加される。
【００６５】
図７は、システムに同期した素材がＡＶファイルとして記録される場合の記録開始時のタイムコード（図６の処理のステップＳ２１〜Ｓ２４によって付加されたタイムコード）と、ＰＧＭ信号がＡＶファイルとして記録される場合の記録開始時のタイムコード（図４の処理によって付加されたタイムコード）との関係を示す図である。
【００６６】
この素材に付加されるタイムコードの値は、エフェクト回路２１でのディレイ量である２フレーム後にＰＧＭ信号に付加されるタイムコード（システムＴＣ）の値と一致する。したがって、この素材とＰＧＭ信号とは、互いに時間軸上で同期が取れている。
【００６７】
〔ＥＤＬに関する処理〕
次に、このビデオスイッチャー１００におけるスイッチングリスト（ＥＤＬ）に関する処理について説明ずる。図２に示すように、エフェクト部２内のＴＣジェネレータ２３が発生するシステムＴＣは、メインコントロール部４内のＴＣ補正部４２にも送られる。
【００６８】
ＴＣ補正部４２は、このシステムＴＣの値に、パネル部３のＰＧＭ入力選択ボタン５１やＮＥＸＴ入力選択ボタン５２やカットボタン５３やトランジションレバー５４で操作を行ってからその操作に基づく切り換え処理をエフェクト部２内のエフェクト回路２１が開始するまでの所要時間分の値を加算する。この所要時間は、予め決まっており、例えば１フレーム分の時間である。そして、このようにして補正したシステムＴＣを、ＥＤＬ生成部４３に送る。
【００６９】
ＥＤＬ生成部４３は、パネル部３のボタン５５（図３）の操作に基づき、外部のＨＤＤへのビデオ信号の記録時に、このシステムＴＣを時間情報として用いて、ＰＧＭ入力選択ボタン５１やＮＥＸＴ入力選択ボタン５２やカットボタン５３やトランジションレバー５４（図３）の操作内容を示す情報であるスイッチングリスト（ＥＤＬ）を作成する。そして、作成したＥＤＬを、ビデオスイッチャー１００に設けられているスロット（図示略）に装着した小型メモリーカード等の記録デバイス（図１では記録デバイス１０３）に記録する。
【００７０】
図８は、パネル部３の操作と、ＥＤＬ生成部４３で作成されるＥＤＬとの関係を例示する図である。パネル部３のボタン５５での記録開始の指示に伴って、この図の左側に１．として示しているようにＥＤＬの作成が開始される。
【００７１】
ＥＤＬの作成開始後、この図の左側に２．として示しているように、ＰＧＭ入力選択ボタン５１で「１」（図３）が選択され、その後、この図の左側に３．として示しているように、ＰＧＭ入力選択ボタン５１での選択が「３」に切り換わると、この図の右側の欄の上から１〜２行目に示しているように、ＰＧＭ入力選択ボタン５１で選択した「１」の素材について、左端にシリアルナンバー「００１」を付したリストが作成される。
【００７２】
この図の下側には、このリストの各項目の内容を示している。シリアルナンバー「００１」の右側の番号「００１」は、ＰＧＭ入力選択ボタン５１で選択した「１」の素材を示す素材番号であり、その右側の項目は編集対象（ここでは、ＡＡで表される２チャンネルのオーディオ信号と、Ｖで表されるビデオ信号とが編集対象となっている）である。
【００７３】
編集対象の右側の項目は、エフェクトの種類である（ここでは、ＰＧＭ入力選択ボタン５１内での選択の切り換えなので「Ｃ」で表されるカットであるが、例えばディゾルブの場合にはＤで表される）。
【００７４】
エフェクトの種類の右側の項目は、ＰＧＭ入力選択ボタン５１で選択した「１」の素材のイン点及びアウト点を示すタイムコードであり、その右側の項目は、ＰＧＭ信号におけるこの「１」の素材の部分のイン点及びアウト点を示すタイムコードである。これらのタイムコードとしては、ＴＣ補正部４２（図２）によって補正されたシステムＴＣが用いられている。
【００７５】
＊印の後の項目は、ＰＧＭ入力選択ボタン５１で選択した「１」の素材のＡＶＩファイルのファイル名である。
【００７６】
ＰＧＭ入力選択ボタン５１での選択が「３」に切り換わった後、この図の左側に４．〜７．として示しているような操作が順次行われると、ＰＧＭ入力選択ボタン５１やＮＥＸＴ入力選択ボタン５２で選択した各素材について、カットボタン５３やトランジションレバー５４の操作内容に応じて、図の右側の欄の上から３行目以下に示しているようなリストが同様にして順次作成される。
【００７７】
その後、パネル部３のボタン５５での記録終了の指示に伴って、この図の左側に８．として示しているようにＥＤＬの作成が終了する。そして、前述のように、作成されたＥＤＬが小型メモリーカード等の記録デバイスに記録される。
【００７８】
〔本発明を適用したビデオスイッチャーの利点〕
次に、以上に説明したようなビデオスイッチャー１００を使用することの利点について説明する。
【００７９】
このビデオスイッチャー１００によれば、ビデオスイッチャー１００内の単一のＴＣジェネレータ２３が発生したシステムＴＣを、エフェクト回路２１が生成したＰＧＭ信号にはそのまま付加し（ＴＣ付加部１９による図４の処理）、入力ビデオ信号（素材）にはエフェクト回路２１の処理遅延時間を考慮して付加する（ＴＣ付加部１９による図６の処理のステップＳ２１〜Ｓ２４）ことにより、ビデオスイッチャー１００の外部からタイムコードを入力することなく、図７に示したように各素材とＰＧＭ信号とに互いに同期したタイムコードを付加して、素材またはＰＧＭ信号を外部のＨＤＤ（図１ではＨＤＤ１０２）に記録することができる。
【００８０】
そして、外部のＨＤＤへのビデオ信号の記録時には、図８に例示したように、ＰＧＭ信号生成時の切り換え操作の内容を示す情報であるスイッチングリスト（ＥＤＬ）が、このシステムＴＣを時間情報として用いて作成される。したがって、ＨＤＤに記録される素材とＥＤＬとは、同じタイムコードによって連携される。
【００８１】
これにより、図１に示したノンリニア編集機１０４では、ＨＤＤ１０２に記録された素材をゼロから編集する代わりに、このＥＤＬが示す切り換えタイミングを微調整することなどによって編集を行えば、各素材とＰＧＭ信号とに時間軸上での同期が取れているので相互の位置合せ等の前処理が不要となり、効率的に編集作業を行うことができる。
【００８２】
また、システムとは非同期の入力ビデオ信号については、システムＴＣの値にエフェクト回路２１における処理遅延時間分の値を加算した値を初期値として、その入力ビデオ信号の１フレーム毎にその初期値を歩進するタイムコードを生成するようにした（ＴＣ付加部１９による図５の処理のステップＳ１１，Ｓ１２，Ｓ１５〜Ｓ１７，Ｓ１８）ので、システムとは非同期の入力ビデオ信号にも、タイムコードを付加することができる。
【００８３】
また、入力ビデオ信号のフォーマットが、システムＴＣに対応したフォーマットと相違する場合、システムＴＣの値を、その入力ビデオ信号のフォーマットに対応した規格のタイムコードの値に変換し、その変換したタイムコードの値にフェクト回路２１における処理遅延時間分の値を加算した値を初期値として、その力ビデオ信号の１フレーム毎にその初期値を歩進するタイムコードを生成するようにした（ＴＣ付加部１９による図５の処理のステップＳ１３，Ｓ１４，Ｓ１５〜Ｓ１７，Ｓ１８と、図６の処理のステップＳ２５〜Ｓ３０）ので、システムＴＣに対応したフォーマットと相違するフォーマットの入力ビデオ信号にも、タイムコードを付加することができる。
【００８４】
〔尚書き〕
最後に、以上に説明した実施の形態に対する変更例や、本発明を適用可能な装置の範囲について述べる。
【００８５】
以上の例では、パネル部３のフォーマット設定操作によって設定した１種類のタイムコード（ＳＭＰＴＥかＥＢＵかのいずれか一方）を、ＴＣジェネレータ２３でシステムＴＣとして発生し、現在の入力ビデオ信号のフォーマット（ＮＴＳＣまたはＰＡＬ）が、システムＴＣに対応したフォーマットと一致しない場合には、システムＴＣの値を、入力ビデオ信号のフォーマットに対応したタイムコードの値に変換している（図５の処理のステップＳ１３，Ｓ１４と、図６の処理のステップＳ２１，Ｓ２５〜Ｓ３０）。しかし、別の例として、ＴＣジェネレータ２３で常にＳＭＰＴＥとＥＢＵとの２種類のシステムＴＣを発生し、現在の入力ビデオ信号のフォーマットに対応したほうのタイムコードをそのビデオ信号に付加するようにしてもよい、そうした場合には、図５の処理のステップＳ１３，Ｓ１４と、図６の処理のステップＳ２１，Ｓ２５〜Ｓ３０とは不要になる。
【００８６】
以上の例では、ビデオスイッチャー１００の外部のＨＤＤに素材やＰＧＭを記録するようにしているが、ビデオスイッチャー１００自体にＨＤＤ等の大容量のストレージを内蔵して、そのストレージに素材やＰＧＭを記録するようにしてもよい。
【００８７】
以上の例では、ビデオスイッチャー１００とは別の装置であるノンリニア編集機１０４によって編集を行うようにしているが、ビデオスイッチャー１００自体にノンリニア編集機能を搭載するようにしてもよい。
【００８８】
以上の例ではビデオスイッチャーに本発明を適用しているが、本発明は、ビデオスイッチャー以外にも、編集機を始めとして、複数系統のビデオ信号を入力し、入力した２系統以上のビデオ信号に対して処理を施すことによってビデオ信号を生成するあらゆる種類の映像処理装置に適用することができる。
【図面の簡単な説明】
【００８９】
【図１】本発明を適用したビデオスイッチャーの使用例を示すブロック図である。
【図２】本発明を適用したビデオスイッチャーの主要部の構成を示すブロック図である。
【図３】図１のパネル部に設けられたボタン等を示す図である。
【図４】図１の入力部内のＴＣ付加部によるタイムコード処理を示すフローチャートである。
【図５】図１の入力部内のＴＣ付加部によるタイムコード処理を示すフローチャートである。
【図６】図１の入力部内のＴＣ付加部によるタイムコード処理を示すフローチャートである。
【図７】素材の記録開始時のタイムコードとＰＧＭ信号の記録開始時のタイムコードとの関係を示す図である。
【図８】パネル部での操作と、作成されるスイッチングリストとの関係を例示する図である。
【符号の説明】
【００９０】
１  入力部、  ２  エフェクト部、  ３  パネル部、  ４  メインコントロール部、  １２  フレームシンクロナイザ  １８  ＴＣデマルチプレクサ、  １９  ＴＣ付加部、  ２１  エフェクト回路、  ２３  ＴＣジェネレータ、  ２４  ＴＣマルチプレクサ、  ４１  ＴＣプリセット部、  ４２  ＴＣ補正部、  ４３  ＥＤＬ生成部、  ５１  ＰＧＭ入力選択用ボタン、  ５２  ＮＥＸ入力選択用ボタン、  ５３  カットボタン、  ５４  トランジションレバー、  １００  ビデオスイッチャー、  １０１  ビデオカメラ、  １０２  ＨＤＤ、  １０３  記録デバイス
【図１】
2007221247.tif 000003
【図２】
2007221247.tif 000004
【図３】
2007221247.tif 000005
【図４】
2007221247.tif 000006
【図５】
2007221247.tif 000007
【図６】
2007221247.tif 000008
【図７】
2007221247.tif 000009
【図８】
2007221247.tif 000010